(57)【要約】【課題】球の色、傷等の不具合を発見するために、複数の球を一斉に転がす球検査用転がし装置であって、安価で容易に製造でき、しかも球径の変化に対応できるようにする。【解決手段】複数の球５５を載置する載置用台と、複数の球５５を縦横複数列に内側に配置する四角形状の内枠３０と、内枠３０よりも大きい四角形状を有し、内枠３０を内側に摺接させながら縦横方向に案内する外枠７０とからなり、外枠７０は、内枠３０を球５５を縦横方向に少なくとも１回転分移動させる程度の大きさを有する。【選択図】図１
2013104836.tif 000002
【特許請求の範囲】
【請求項１】
複数の球を載置する載置用台と、前記複数の球を縦横複数列に内側に配置する四角形状の内枠と、前記内枠よりも大きい四角形状を有し、前記内枠を内側に摺接させながら縦横方向に案内する外枠とからなり、前記外枠は、前記内枠を前記球を縦横方向に少なくとも１回転分移動させる程度の大きさを有することを特徴とする球検査用転がし装置。
【請求項２】
前記内枠は、前記球との縦方向の距離を詰める第１縦方向調整板を縦方向に移動可能に設け、前記球との横方向の距離を詰める第１横方向調整板を横方向に移動可能に設け、前記第１縦方向調整板および前記第１横方向調整板を固定する固定装置を設けたことを特徴とする請求項１に記載の球検査用転がし装置。
【請求項３】
前記外枠は、前記内枠の縦方向の移動距離を変える第２縦方向調整板を縦方向に移動可能に設け、前記内枠の横方向の移動距離を変える第２横方向調整板を横方向に移動可能に設けたことを特徴とする請求項１に記載の球検査用転がし装置。
【発明の詳細な説明】
【技術分野】
【０００１】
本発明は、球を転がして目視検査するのに最適な球検査用転がし装置に関する。
【背景技術】
【０００２】
玉軸受に使用される球は、材質の面で鋼製およびセラミックス製の２種類があり、鋼製のものはカメラで捕えた画像を処理することにより、球の色、傷等の不具合を発見している。光の反射の関係上、鋼製はカメラで白っぽく捕えられるのに対し、セラミックス製はカメラで黒っぽく捕えられるので、セラミックス製の球は、球の色、傷等の不具合を発見しにくい。このため、セラミックス製の球を四角形状のトレイに複数入れ、トレイを傾けることにより複数の球を低い方へ一斉に転がし、目視で複数の球の中で一際異なるものを見つける方法を採用している。この方法は、熟練を要し、転がし方が上手でないと、球がバラバラに転がって一際異なるものの発見が困難になり、あるいは同じ面ばかり見て、異なる面の色、傷等の不具合を見落とすことがある。
【０００３】
これを解消するために、図１９（特許文献１）に示すような球検査用転がし装置がある。図１９の（１）は、球検査用転がし装置の平面図であり、図１９の（２）は、（１）のＰ−Ｐ線断面図である。このものは、ガイド板１２０の各ガイド穴１２３に球１３０を入れてこれらの球１３０をパッド１１０上に載せ、ガイド板１２０をガイド溝１２１、１２２およびピン１１１、１１２、１１３に倣って動かすことにより、各球１３０を一斉に図１９の（１）の左下がりの方向に転がし、続いて左上がりの方向に転がし、左下がりの方向に転がし、左上がりの方向に転がし、最後に左下がりの方向に転がすことができる。これを使用すれば、誰が行っても同じの転がしを球に与えることができ、熟練度によるバラツキを無くすことができる。
【先行技術文献】
【特許文献】
【０００４】
【特許文献１】特許第４６５４２６９号公報
【発明の概要】
【発明が解決しようとする課題】
【０００５】
図１９に示す球検査用転がし装置は、ガイド溝１２１、１２２をＮＣ機で加工しなければならず、加工が面倒で高価となる。また各ガイド穴１２３に球１３０を入れる構造を採っているため、例えば球径が小さくなるとガイド穴１２３および球１３０間の隙間が大きくなり、ガイド板１２０を移動させても球１３０がすぐに転がらない。すなわち球径の変化に対応できない。さらにガイド溝１２１、１２２およびピン１１１、１１２、１１３により、ガイド板１２０に一定の移動量を与えているため、例えば球径が大きくなると球の回転量が不足する。すなわち球径の変化に対応できない。本発明は、上述した問題点を解決するためになされたもので、その目的とするところは、安価で容易に製造でき、球径の変化に対応できる球検査用転がし装置を提供する。
【課題を解決するための手段】
【０００６】
請求項１に記載の発明は、複数の球を載置する載置用台と、前記複数の球を縦横複数列に内側に配置する四角形状の内枠と、前記内枠よりも大きい四角形状を有し、前記内枠を内側に摺接させながら縦横方向に案内する外枠とからなり、前記外枠は、前記内枠を前記球を縦横方向に少なくとも１回転分移動させる程度の大きさを有するものである。四角形状の内枠、外枠は、ＮＣ機を用いなくても製造できるので、球検査用転がし装置を安価で容易に製造できる
【０００７】
請求項２に記載の発明は、前記内枠は、前記球との縦方向の距離を詰める第１縦方向調整板を縦方向に移動可能に設け、前記球との横方向の距離を詰める第１横方向調整板を横方向に移動可能に設け、前記第１縦方向調整板および前記第１横方向調整板を固定する固定装置を設けたものである。球径に応じて第１縦方向調整板および第１横方向調整板を移動させるため、内枠および球間の隙間を少なくでき、内枠を移動させるとすぐに球が転がる。
【０００８】
請求項３に記載の発明は、前記外枠は、前記内枠の縦方向の移動距離を変える第２縦方向調整板を縦方向に移動可能に設け、前記内枠の横方向の移動距離を変える第２横方向調整板を横方向に移動可能に設けたものである。球径に応じて第２縦方向調整板および第２横方向調整板を移動させるため、球径の変化にも関わらず球の回転量が一定になる。
【発明の効果】
【０００９】
本発明によれば、安価で容易に製造でき、球径の変化に対応できる球検査用転がし装置を提供することができる。
【図面の簡単な説明】
【００１０】
【図１】本発明の実施形態における球検査用転がし装置の全体平面図である。
【図２】本発明の実施形態において球検査用転がし装置の図１のＡ−Ａ線断面図である。
【図３】本発明の実施形態において球検査用転がし装置の図１のＢ−Ｂ線断面図である。
【図４】本発明の実施形態において球検査用転がし装置の図１のＣ−Ｃ線断面図である。
【図５】本発明の実施形態において球検査用転がし装置の図１のＤ−Ｄ線断面図である。
【図６】本発明の実施形態において球検査用転がし装置の図１のＥ−Ｅ線断面図である。
【図７】本発明の実施形態において球検査用転がし装置の図１のＦ−Ｆ線断面図である。
【図８】本発明の実施形態において球検査用転がし装置の図１のＧ−Ｇ線断面図である。
【図９】本発明の実施形態において球検査用転がし装置の図１のＭ−Ｍ線断面図である。
【図１０】本発明の実施形態において球検査用転がし装置の図１のＮ−Ｎ線断面図である。
【図１１】本発明の実施形態における球検査用転がし装置の縦方向１回転の動作図である。
【図１２】本発明の実施形態における球検査用転がし装置の横方向１回転の動作図である。
【図１３】本発明の実施形態における球検査用転がし装置の縦方向９０度回転の動作図である。
【図１４】本発明の実施形態における球検査用転がし装置の横方向４５度回転の動作図である。
【図１５】本発明の実施形態における球検査用転がし装置の２回目の縦方向９０度回転の動作図である。
【図１６】本発明の実施形態における球検査用転がし装置の２回目の縦方向１回転の動作図である。
【図１７】本発明の実施形態における球検査用転がし装置の２回目の横方向１回転の動作図である。
【図１８】本発明の実施形態における球検査用転がし装置の球径変化対応の状態図である。
【図１９】従来における球検査用転がし装置の全体図であり、（１）は平面図であり、（２）は（１）のＦ−Ｆ線断面図である。
【発明を実施するための形態】
【００１１】
本発明の実施形態について、図１ないし図１８を参酌しつつ説明する。図１は球検査用転がし装置の平面図であり、図２は図１のＡ−Ａ線断面図であり、図３は図１のＢ−Ｂ線断面図であり、図４は図１のＣ−Ｃ線断面図であり、図５は図１のＤ−Ｄ線断面図であり、図６は図１のＥ−Ｅ線断面図であり、図７は図１のＦ−Ｆ線断面図であり、図８は図１のＧ−Ｇ線断面図であり、図９は図１のＭ−Ｍ線断面図であり、図１０は図１のＮ−Ｎ線断面図であり、図１１は縦方向１回転の動作図であり、図１２は横方向１回転の動作図であり、図１３は縦方向９０度回転の動作図であり、図１４は横方向４５度回転の動作図であり、図１５は２回目の縦方向９０度回転の動作図であり、図１６は２回目の縦方向１回転の動作図であり、図１７は２回目の横方向１回転の動作図であり、図１８は球径変化対応の状態図である。
【００１２】
図１および図２に示すように、球検査用転がし装置は、複数の球５５を載置する載置用台１１と、複数の球５５を縦横複数列に内側に配置する四角形状の内枠３０と、内枠３０の外側の周囲面に接触して内枠３０を縦横の２方向に案内する外枠７０と、外枠７０の外側の周囲面に接触して外枠７０を縦横の２方向に案内する大外枠８０からなっている。
【００１３】
載置用台１１は、上から見ると四角形状を有し、横から見ると所定の肉厚を有する金属製の板材である。載置用台１１は凹凸の非常に少ない上面を有し、この上面にゴム製の薄板状のパット１２が載置されている。載置用台１１には、ゴム製のパッド１２を介して球５５、内枠３０、外枠７０および大外枠８０が載置されている。
【００１４】
内枠３０は、金属製で四角形状の枠状のもので、この内側に球５５が縦４列、横５列配置される。内枠３０は、左右方向に延びる左右板３１、３４と、前後方向に延びる前後板３２、３３とからなる。内枠３０は、左右板３１、３４の両端に連結ボルト３７で前後板３２、３３を連結した簡単なものである。
【００１５】
左右板３１、３４の両端には、上下方向に等間隔に嵌合溝３１ｄが形成され、嵌合溝３１ｄ間で嵌合突起３１ｅが形成されている。同じ様に、前後板３２、３３の両端には、上下方向に等間隔に嵌合溝３２ｄ、３３ｄが形成され、嵌合溝３２ｄ、３３ｄ間で嵌合突起３２ｅ、３３ｅが形成されている。嵌合溝３１ｄは嵌合突起３２ｅ、３３ｅに対応する位置に形成され、嵌合溝３２ｄ、３３ｄは嵌合突起３１ｅに対応する位置に形成されている。この結果、嵌合溝３１ｄに嵌合突起３２ｅ、３３ｅが嵌り、嵌合溝３２ｄ、３３ｄに嵌合突起３１ｅが嵌る。上部の嵌合突起３２ｅ、３３ｅには、上下方向に貫通した挿通穴３２ｆ、３３ｆが形成され、上部の嵌合突起３１ｅには挿通穴３２ｆ、３３ｆに対応する位置でネジ穴３１ｇが形成されている。連結ボルト３７を、挿通穴３２ｆ、３３ｆに挿通し、さらにネジ穴３１ｇにねじ込むことによって、左右板３１、３４および前後板３２、３３を一体化できるようになっている。
【００１６】
図１、図５および図６に示すように、前後板３２、３３の前側には、第１縦方向調整板３６が前後方向に移動可能に案内され、左右板３１、３４の右側には、第１横方向調整板３５が左右方向に移動可能に案内されている。前後板３２、３３の前側には、前後方向に案内溝３２ｂ、３３ｂが形成され、第１縦方向調整板３６の前後板３２側の一端には、案内溝３２ｂ側へ突出してこれに係合する案内部３６ｂが形成されている。左右板３１、３４の右側には、左右方向に案内溝３１ｂ、３４ｂが形成され、第１横方向調整板３５の左右板３１側の一端には、案内溝３１ｂ側へ突出してこれに係合する案内部３５ｂが形成されている。可動用左右板３６および可動用前後板３５が互いに干渉しないように、第１縦方向調整板３６の右側に櫛の歯３６ａが形成され、第１横方向調整板３５の前側に櫛の歯３５ａが形成され、歯３６ａおよび歯３５ａは互いに上下方向にずれて設けられている。歯３５ａは案内溝３４ｂに係合し、歯３６ａは案内溝３３ｂに係合している。案内溝３４ｂの延長線上に嵌合溝３４ｄが形成され、案内溝３３ｂの延長線上に嵌合溝３３ｄが形成されている。
【００１７】
前後板３２、３３の前側上部には、上下方向に貫通し前後方向に縦長の長穴３２ａ、３３ａが形成されている。案内部３６ｂおよび歯３６ａには、ネジ穴３６ｃが形成されている。調整ボルト３８を長穴３２ａ、３３ａに挿通し、ネジ穴３６ｃにねじ込むことにより、第１縦方向調整板３６が前後板３２、３３に固定されるようになっている。
【００１８】
左右板３１、３４の右側上部には、上下方向に貫通し左右方向に横長の長穴３１ａ、３４ａが形成されている。案内部３５ｂおよび歯３５ａには、ネジ穴３５ｃが形成されている。調整ボルト３８を長穴３１ａ、３１ａに挿通し、ネジ穴３５ｃにねじ込むことにより、第１横方向調整板３５が左右板３１、３４に固定されるようになっている。
【００１９】
図１および図３に示すように外枠７０は、金属製で四角形状の枠状のもので、内枠３０の外側の周囲面に接触して、内枠３０を縦横に移動可能に案内する機能を有する。外枠７０は、左右方向に延びる左右板７１、７４と、前後方向に延びる前後板７２、７３とからなる。外枠７０は、左右板７１、７４の両端に連結ボルト７７で前後板７２、７３を連結した簡単なものである。
【００２０】
左右板７１、７４の両端には、上下方向に等間隔に嵌合溝７１ｄが形成され、嵌合溝７１ｄ、７４ｄ間で嵌合突起７１ｅが形成されている。同じ様に、前後板７２、７３の両端には、上下方向に等間隔に嵌合溝７２ｄ、７３ｄが形成され、嵌合溝７２ｄ、７３ｄ間で嵌合突起７２ｅ、７３ｅが形成されている。嵌合溝７１ｄは嵌合突起７２ｅ、７３ｅに対応する位置に形成され、嵌合溝７２ｄ、７３ｄは嵌合突起７１ｅに対応する位置に形成されている。この結果、嵌合溝７１ｄに嵌合突起７２ｅ、７３ｅが嵌り、嵌合溝７２ｄ、７３ｄに嵌合突起７１ｅが嵌る。上部の嵌合突起７２ｅ、７３ｅには、上下方向に貫通した挿通穴７２ｆ、７３ｆが形成され、上部の嵌合突起７１ｅには挿通穴７２ｆ、７３ｆに対応する位置でネジ穴７１ｇが形成されている。連結ボルト７７を、挿通穴７２ｆ、７３ｆに挿通し、さらにネジ穴７１ｇにねじ込むことによって、左右板７１、７４および前後板７２、７３を一体化できるようになっている。
【００２１】
外枠７０は、後述する大外枠８０に対して図１１の左下の位置に固定、あるいは、図１５の右下の位置に固定できるようになっている。このために左右板７１、７４に上下方向に貫通しかつ左右方向に横長の長穴７４ｈを有し、図１１の長穴７４ｈおよび図１５の長穴７４ｈの重なる位置に載置用台１１に図１３のネジ穴１１ａが形成されている。長穴７４ｈに挿通し、ネジ穴１１ａに固定ボルト７９をねじ込むことにより、外枠７０は載置用台１１に固定されるようになっている。
【００２２】
図１、図７および図８に示すように、前後板７２、７３の前側には、第２縦方向調整板７６が前後方向に移動可能に案内され、左右板７１、７４の右側には、第２横方向調整板７５が左右方向に移動可能に案内されている。前後板７２、７３の前側には、前後方向に案内溝７２ｂ、７３ｂが形成され、第２縦方向調整板７６の前後板７２側の一端には、案内溝７２ｂ側へ突出してこれに係合する案内部７６ｂが形成されている。左右板７１、７４の右側には、左右方向に案内溝７１ｂ、７４ｂが形成され、第２横方向調整板７５の左右板７１側の一端には、案内溝７１ｂ側へ突出してこれに係合する案内部７５ｂが形成されている。第２縦方向調整板７６および第２横方向調整板７５が互いに干渉しないように、第２縦方向調整板７６の右側に櫛の歯７６ａが形成され、第２横方向調整板７５の前側に櫛の歯７５ａが形成され、歯７６ａおよび歯７５ａは互いに上下方向にずれて設けられている。歯７５ａは案内溝７４ｂに係合し、歯７６ａは案内溝７３ｂに係合している。案内溝７４ｂの延長線上に前記嵌合溝７４ｄが形成され、案内溝７３ｂの延長線上に前記嵌合溝７３ｄが形成されている。
【００２３】
前後板７２、７３の前側上部には、上下方向に貫通し前後方向に縦長の長穴７２ａ、７３ａが形成されている。案内部７６ｂおよび歯７６ａには、ネジ穴７６ｃが形成されている。調整ボルト７８を長穴７２ａ、７３ａに挿通し、ネジ穴７６ｃにねじ込むことにより、第２縦方向調整板７６が前後板７２、７３に固定されるようになっている。
【００２４】
左右板７１、７４の前側上部には、上下方向に貫通し左右方向に横長の長穴７１ａ、７４ａが形成されている。案内部７５ｂおよび歯７５ａには、ネジ穴７５ｃが形成されている。調整ボルト７８を長穴７１ａ、７１ａに挿通し、ネジ穴７５ｃにねじ込むことにより、第２横方向調整板７５が左右板７１、７４に固定されるようになっている。
【００２５】
前後板７２および第２横方向調整板７５によって内枠３０は前後方向に移動可能に案内され、左右板７１および第２縦方向調整板７６によって内枠３０は左右方向に移動可能に案内されるようになっている。
【００２６】
図１および図４に示すように、大外枠８０は、金属製で四角形状の枠状のもので、外枠７０の外側の周囲面に接触して、外枠３０を縦横に移動可能に案内する機能を有する。大外枠８０は、左右方向に延びる左右板８１、８４と、前後方向に延びる前後板８２、８３とからなる。大外枠８０は、左右板８１、８４の両端に連結ボルト８７で前後板８２、８３を連結した簡単なものである。
【００２７】
左右板８１、８４の両端には、上下方向に等間隔に嵌合溝８１ｄが形成され、嵌合溝８１ｄ間で嵌合突起８１ｅが形成されている。同じ様に、前後板８２、８３の両端には、上下方向に等間隔に嵌合溝８２ｄ、８３ｄが形成され、嵌合溝８２ｄ、８３ｄ間で嵌合突起８２ｅ、８３ｅが形成されている。嵌合溝８１ｄは嵌合突起８２ｅ、８３ｅに対応する位置に形成され、嵌合溝８２ｄ、８３ｄは嵌合突起８１ｅに対応する位置に形成されている。この結果、嵌合溝８１ｄに嵌合突起８２ｅ、８３ｅが嵌り、嵌合溝８２ｄ、８３ｄに嵌合突起８１ｅが嵌る。上部の嵌合突起８２ｅ、８３ｅには、上下方向に貫通した挿通穴８２ｆ、８３ｆが形成され、上部の嵌合突起８１ｅには挿通穴８２ｆ、８３ｆに対応する位置でネジ穴８１ｇが形成されている。連結ボルト８７を、挿通穴８２ｆ、８３ｆに挿通し、さらにネジ穴８１ｇにねじ込むことによって、左右板８１、８４および前後板８２、８３を一体化できるようになっている。
【００２８】
左右板８１、８４には、上下方向に貫通した挿通穴８１ｈ、８４ｈが形成されている。載置用台１１には、挿通穴８１ｈ、８４ｈに対応する位置でネジ穴１１ｂが形成され、固定ボルト８９を挿通穴８１ｈ、８４ｈを挿通し、ネジ穴１１ｂにねじ込むことにより、大外枠８０が載置用台１１に固定されるようになっている。
【００２９】
図１、図９および図１０に示すように、前後板８２、８３の前側には、第２縦方向調整板８６が前後方向に移動可能に案内され、左右板８１、８４の右側には、第２横方向調整板８５が左右方向に移動可能に案内されている。前後板８２、８３の前側には、前後方向に案内溝８２ｂ、８３ｂが形成され、第２縦方向調整板８６の前後板８２側の一端には、案内溝８２ｂ側へ突出してこれに係合する案内部８６ｂが形成されている。左右板８１、８４の右側には、左右方向に案内溝８１ｂ、８４ｂが形成され、第２横方向調整板８５の左右板８１側の一端には、案内溝８１ｂ側へ突出してこれに係合する案内部８５ｂが形成されている。第２縦方向調整板８６および第２横方向調整板８５が互いに干渉しないように、第２縦方向調整板８６の右側に櫛の歯８６ａが形成され、第２横方向調整板８５の前側に櫛の歯８５ａが形成され、歯８６ａおよび歯８５ａは互いに上下方向にずれて設けられている。歯８５ａは案内溝８４ｂに係合し、歯８６ａは案内溝８３ｂに係合している。案内溝８４ｂの延長線上に嵌合溝８４ｄが形成され、案内溝８３ｂの延長線上に嵌合溝８３ｄが形成されている。
【００３０】
前後板８２、８３の前側上部には、上下方向に貫通し前後方向に縦長の長穴８２ａ、８３ａが形成されている。案内部８６ｂおよび歯８６ａには、ネジ穴８６ｃが形成されている。調整ボルト８８を長穴８２ａ、８３ａに挿通し、ネジ穴８６ｃにねじ込むことにより、第２縦方向調整板８６が前後板８２、８３に固定されるようになっている。
【００３１】
左右板８１、８４の右側上部には、上下方向に貫通し左右方向に横長の長穴８１ａ、８４ａが形成されている。案内部８５ｂおよび歯８５ａには、ネジ穴８５ｃが形成されている。調整ボルト８８を長穴８１ａ、８１ａに挿通し、ネジ穴８５ｃにねじ込むことにより、第２横方向調整板８５が左右板８１、８４に固定されるようになっている。
【００３２】
前後板８２および第２横方向調整板８５によって外枠７０は前後方向に移動可能に案内され、左右板８１および第２縦方向調整板８６によって外枠７０は左右方向に移動可能に案内されるようになっている。
【００３３】
載置用台１１上のパッド１２には、球５５の重力が作用し、パッド１２自体の摩擦係数が高いので、パッド１２に対して球５５は転がる。これに対して、球５５はセラミックス製で摩擦係数が小さく、内枠３０は金属製で摩擦係数が小さいので、内枠３０に対し球５５は滑る。球５５間でも滑りが発生する。すなわち、外枠７０に沿って内枠３０を縦横に移動させると、球５５は内枠３０によって縦横方向に押され、球５５はパッド１２上を転がりながら、球５５は内枠３０に対して滑り、球５５同士で滑りが発生する。
【００３４】
前後板７２、７３は、内枠３０を前後方向に移動させたときに、球５５が縦方向に１回転する程度の長さを有し、左右板７１、７４は、内枠３０を左右方向に移動させたときに、球５５が横方向に１回転する程度の長さを有する。前後板８２、８３は、内枠３０とともに外枠７０を前後方向に移動させたときに、球５５が縦方向に９０度回転する程度の長さを有し、左右板８１、８４は、内枠３０とともに外枠７０を前後方向に移動させたときに、球５５が横方向に４５度回転する程度の長さを有する。
【００３５】
外枠７０の外側に大外枠８０を設けた理由について説明する。球５５を縦方向に１回転させ、続いて球５５を横方向に１回転させると、見た範囲の重なるところが上下の２箇所に出来る。このまま縦方向に１回転、横方向に１回転させると、同じところを見ることなり、好ましくない。上下の重なった２箇所を軸に４５度回転させてから縦方向に１回転、横方向に１回転させると、先ほどと異なるところを見ることができ、球５５の全面を見ることが可能となる。前述した横方向に９０度回転、縦方向に４５度回転、９０度回転は、上下の重なった２箇所を軸に直接４５度回転させる動作と同じことが得られる動作である。４５度回転させる動作を、縦横方向に球をそれぞれ１回転させる１回目の動作と、横縦方向に球をそれぞれ１回転させる２回目の動作間に入れた。
【００３６】
次に実施形態の動作について説明する。大外枠８０に対し外枠７０を図１の左下に置き、固定ボルト７９を長穴７４ｈに挿通し、ネジ穴１１ａにねじ込むことにより、外枠７０を載置用台１１に固定する。外枠７０に対し内枠３０を図１の左下に置き、内枠３０の外側の周囲面を外枠７０の左右板７１および前後板７２に接触させる。内枠３０へ一斉に複数の球５５を投入し、第１縦方向調整板３６を後ろ側へ移動させ、第１横方向調整板３５を左方向へ移動させ、調整ボルト３８によって第１縦方向調整板３６および第１横方向調整板３５を球５５との隙間を最小限にした位置に固定する。内枠３０の内側に球５５を縦４列、横５列配置し、図１に示す状態となる。
【００３７】
作業者は内枠３０を前方向に押し、内枠３０を前後板７２に沿って前方向へ移動させ、球５５を縦方向に１回転させ、図１１に示す状態となる。内枠３０を右方向に押し、内枠３０を第２縦方向調整板７６に沿って右方向へ移動させ、球５５を横方向に１回転させ、図１２に示す状態となる。
【００３８】
次に固定ボルト７９を緩め、外枠７０の載置用台１１への固定を解除する。内枠３０とともに外枠７０を前方向に押し、前後板８１に沿って外枠７０を前方向へ移動させ、球５５を縦方向に９０度回転させ、図１３に示す状態となる。内枠３０とともに外枠７０を右方向に押し、外枠７０を第２縦方向調整板８６に沿って右方向へ移動させ、球５５を横方向に４５度回転させ、図１４に示す状態となる。内枠３０とともに外枠７０を後ろ方向に押し、第２横方向調整板８５に沿って外枠７０を後ろ方向へ移動させ、球５５を縦方向に９０度回転させ、図１５に示す状態となる。
【００３９】
続いて固定ボルト７９を長穴７４ｈに挿通してネジ穴１１ａにねじ込み、外枠７０を載置用台１１に固定する。内枠３０を後ろ方向に押し、内枠３０を横調整用板７５に沿って後ろ方向へ移動させ、球５５を縦方向に１回転させ、図１６に示す状態となる。内枠３０を左方向に押し、内枠３０を左右板７１に沿って左方向へ移動させ、球５５を横方向に１回転させ、図１７に示す状態となる。
【００４０】
作業者は、内枠３０を動かしながら、複数の球５５を目視し、複数の球５５の中から一際異なるものを探す。色、傷等の一際異なるものを発見すると、その場でペン等で球５５にマークが入れられる。内枠３０の移動が完了した時点で、マークの入った球５５を異常ボックスへ回収し、マークの入っていない球５５を一斉に良品ボックスへ回収する。
【００４１】
球５５上の２本線間は、作業者が見た範囲を示す。図１１で、球５５に縦方向の２本線が入り、図１２で球５５に横方向の２本線が入る。球５５に縦方向の２本線間および横方向の２本線間の重なった範囲ができる。これから見る範囲が重ならないようにするために、球５５の上下の重なった範囲を軸に球５５を４５度回す必要がある。
【００４２】
４５度回すためには、まず球５５を前方向に９０度回転させて図１３の状態にし、続いて球５５を右方向に４５度回転させて図１４の状態にし、さらに球５５を後ろ方向に９０度回転させて図１５の状態にする。図１２の状態では、球５５に縦横の十字に２本線が入っていたのが、図１５の状態では、球５５に直交する２つの斜め方向の十字に２本線が入っている。図１２の状態から球５５が４５度回転して図１５の状態になったことが分かる。
【００４３】
球５５に直交する２つの斜め方向の十字に２本線が入った状態から、図１６で、球５５に縦方向の２本線が入り、図１７で、球５５に横方向の２本線が入る。斜め方向の十字に縦横方向の十字が重なった状態となる。これで、重なりを最低限にしながら見落としなく球５５の全面を効率良く見ることができる。
【００４４】
球径の大きい球５５を内枠３０に投入するときは、第１縦方向調整板３６を前側へ移動させ、第１横方向調整板３５を右側へ移動させ、かかる状態で内枠３０に球５５を投入する。この後、縦方向調整板３５を後ろ側へ移動させて球５５との隙間を最小限にし、横方向調整板３６を左側へ移動させて球５５との隙間を最小限にする。かかる位置で縦方向調整板３５および横方向調整板３６を調整ボルト３８により固定する。このようにすれば、内枠３０を移動させたときに、球５５がすぐに転がる。
【００４５】
球径が大きくなったことに伴い、第２縦方向調整板７６を前側へ移動させ、第２横方向調整板７５を右側へ移動させ、かかる位置で縦方向調整板７５および横方向調整板７６を調整ボルト７８により固定する。第２縦方向調整板７６および前後板３４間には、内枠３０を移動させたときに、球径が大きくなった球５５が縦方向に１回転する程度の距離を有する。第２横方向調整板７５および左右板３３間には、内枠３０を移動させたときに、球径が大きくなった球５５が横方向に１回転する程度の距離を有する。このようにすれば、球径の変化にも関わらず球の回転量を一定にできる。
【００４６】
球径が大きくなったことに伴い、第２縦方向調整板８６を前側へ移動させ、第２横方向調整板８５を右側へ移動させ、かかる位置で縦方向調整板８５および横方向調整板８６を調整ボルト８８により固定する。第２縦方向調整板８６および前後板７４間には、外枠７０とともに内枠３０を移動させたときに、球径が大きくなった球５５が縦方向に９０度回転する程度の距離を有する。第２横方向調整板８５および左右板７３間には、外枠７０とともに内枠３０を移動させたときに、球径が大きくなった球５５が横方向に４５度回転する程度の距離を有する。このようにすれば、球径の変化にも関わらず球の回転量を一定にできる。
【００４７】
本発明はこうした実施形態に何等限定されるものではなく、本発明の要旨を逸脱しない範囲において、種々なる態様で実施し得ることは勿論である。
【００４８】
上述した実施形態は、左右板７１、７４に横長の長穴７４ｈを形成し、各長穴７４ｈに対応するネジ穴１１ａをそれぞれ１個ずつ設けたが、左右板７１、７４に上下方向に貫通した丸穴形状の挿通穴を形成し、各挿通穴に対しネジ穴１１ａをそれぞれ２個ずつ設けても良い。ネジ穴１１ａは、外枠７０が大外枠８０に対して図１１の左下にあるときと、外枠７０が大外枠８０に対して図１５の右下にあるときの挿入穴に対応する位置にそれぞれ設けられる。
【符号の説明】
【００４９】
１１：載置用台、３０：内枠、３５：第１横方向調整板、３６：第１縦方向調整板、３８：調整ボルト（固定装置）、７０：外枠、７５：第２横方向調整板、７６：第２縦方向調整板、８０：大外枠、５５：球
【図１】
2013104836.tif 000003
【図２】
2013104836.tif 000004
【図３】
2013104836.tif 000005
【図４】
2013104836.tif 000006
【図５】
2013104836.tif 000007
【図６】
2013104836.tif 000008
【図７】
2013104836.tif 000009
【図８】
2013104836.tif 000010
【図９】
2013104836.tif 000011
【図１０】
2013104836.tif 000012
【図１１】
2013104836.tif 000013
【図１２】
2013104836.tif 000014
【図１３】
2013104836.tif 000015
【図１４】
2013104836.tif 000016
【図１５】
2013104836.tif 000017
【図１６】
2013104836.tif 000018
【図１７】
2013104836.tif 000019
【図１８】
2013104836.tif 000020
【図１９】
2013104836.tif 000021